(57)【要約】【課題】緊急避難機具で今迄にカプセル１に避難する機具は無く、この発明によってカプセル１避難する事で逃げ場の無い緊急時に、瞬時の避難を容易にするものである。過去関東大震災や阪神大震災、今回の東日本大地震、数多くの震災や火災及び凶悪な犯罪で多数の尊い人命が奪われているが、これらの災害から身を守る設備である。【解決手段】地震、火災、強盗等の災害時は部屋５０及びベランダ５１に設置しているカプセル１に避難して、災害の治まるのを待ってワイヤー巻取りモーター５１のモータスイッチを押して自力脱出を図るか、万一の場合は、一ヶ月生存できる食料２１、飲料水２０等で命をつなぎ、搭載している無線機１４、広角拡声器１５、電話機１６、で外部に連絡をして、家の前のワイヤー固定接続台２８に接続しているカプセルワイヤー２を救助隊に重機３８で牽引してもらう事により生還出来、地震、津波、火災、及び及び凶悪犯から身を守る事が出来る。【選択図】図１
2012223545.tif 000002
【特許請求の範囲】
【請求項１】
地震、津波、火災、及び強盗の緊急避難としてのカプセル（１）避難設備機具を特徴とする、地震、津波、火災、及び強盗の緊急避難用、カプセル（１）。
【請求項２】
カプセル外壁にあつさ３センチ以上のカプセル外壁鋼鉄鉄板（１０）及びカプセル窓ガラス（４）も厚さ３センチ以上の物を使用する事を特徴とする、請求項１に記載の地震、津波、火災、及び強盗の緊急避難用、カプセル（１）。
【請求項３】
カプセル１は牽引の時、抵抗を抑えるために流線型（４６）の形をしている事を特徴とする請求項１又は２のいずれか一つに記載の地震、津波、火災、及び強盗の緊急避難用、カプセル（１）。
【請求項４】
カプセル（１）は万一の時は自力脱出出来るように、カプセルワイヤー（２）、ワイヤー巻取りモーター（５２）及びワイヤー巻き取りチエンベルト（５３）、ワイヤー巻き取り滑車（５４）の装置を備えている事を特徴とする、請求項１〜３の何れか一つに記載の地震、津波、火災、及び強盗の緊急避難用、カプセル１．
【請求項５】
カプセル先端瓦礫除去カッター（３）に鋼鉄刃金を使用し、災害現場から脱出の時、外部から牽引の際、瓦礫（４５）やコンクリートの残骸を除いて脱出出来、瓦礫（４５）等の抵抗を抑えるために流線型（４６）をしている事を特徴とする、請求項１〜４の何れか一つに記載の地震、津波、火災、及び強盗の緊急避難用、カプセルル１。
【請求項６】
カプセル（１）はカプセルワイヤーは接続固定（２８）とワイヤー接続地下固定台５９接続してあるので、津波等に押し流される事は無い事を特徴とする、請求項１〜５の何れか一つに記載の地震、津波、火災、及び強盗の緊急避難用、カプセル（１）。
【請求項７】
カプセル（１）のカプセル窓防水ゴム内枠（５）には防水ゴムカプセル窓鋼鉄外枠（５）を施してある事を特徴とする、請求項１〜６の何れか一つに記載の地震、津波、及び強盗の緊急避難用、カプセル（１）。
【請求項８】
カプセル入り口ドアー（２７）には厚さ３センチの鋼鉄鉄板を使用し、カプセルドアー鋼鉄外枠（１１）、カプセルドアーゴム内枠（１１）を施してある事を特徴とする、請求項１〜７のいずれか一つに記載の地震、津波、火災、及び強盗の緊急避難用、カプセル（１）
【請求項９】
災害時外部と連絡を取って、救助隊にレッカー重機（３８）等で牽引してもらう時に、カプセルワイヤー（２）がカプセルワイヤー取り付け箇所（２９），（３０）に接続してあるので、カプセル（１）が津波等で押し流される事なく、又救助隊がカプセルワイヤー（２）を探す事なくカプセル（１）を即、牽引してもらう事を特徴とする、請求項１〜８の何れか一つに記載の地震、津波、火災及び強盗の緊急避難用カプセル（１）。
【請求項１０】
カプセル（１）内に食料、水、酸素吸入器、通信機器及び各種機具、及び日用雑貨を搭載しているので、最低一ヶ月滞在可能な特徴とする請求項１〜９の何れか一つに記載の、地震、津波、火災、および強盗の緊急避難用カプセル１。
【請求項１１】
カプセル（１）とカプセルワイヤー取り付け箇所をつなぐカプセルワイヤー（２）は二本のワイヤーが回転するようになっていて、二本のワイヤーが離れないようにワイヤー巻き取り滑車（５４）からのワイヤーとコンクリート固定台接続回転フックリング（５６）で止めている事を特徴とする請求項１〜１０の何れか一つに記載の地震、津波、火災及び強盗の緊急避難用カプセル。
【請求項１２】
緊急災害時は災害後ワイヤ巻き取りモータ（５２）により自力脱出が出来るが、万一自力脱出出来ない場合は搭載機具や、燃料、日用品及び食料水等で生命を維持して、広角拡声器（１５）や無線機（１４）電話機（１６）等で救助隊に連絡を取って救助してもらうことを特徴とする請求項１〜１１何れか一つに記載の、地震、津波、火災及び強盗の緊急避難用カプセル１．
【請求項１３】
カプセルワイヤー取り付け箇所２９、３０の上には、カプセルワイヤー取り付け固定台鋼鉄鉄板カバー４１があり、このカバの鉄板の厚さは３センチあり、瓦礫等で押しつぶされる事も無く、救助隊等に連絡して牽引してもらう際に、カプセルワイヤーを探す事なく即牽引出来る。
【発明の詳細な説明】
【技術分野】
【０００１】本発明は地震、津波、火災、及び強盗の緊急避難用として開発したものである。各家庭及び各ビルに常設して，、緊急な時に身を守るための装置である。いつ発生するか判らない地震、津波、火災、及び強盗に備えて万が一、逃げ場の無い緊急時にカプセル１に避難する事によって人命を守ってくれる機器である。このカプセル１及びカプセル入り口ドアー２７は厚さ３センチのカプセル外壁鋼鉄鉄板１０で出来ていて、外部からの重圧に耐えられ、カプセル窓枠はカプセル防水ゴム内枠５は防水ゴム及びカプセル鋼鉄外枠５うと成っていて、カプセル入り口ドアー２７はカプセルドアー防水ゴム内枠１１とカプセルドアー鋼鉄外枠１１と成っていて、カプセル内壁熱遮断軽量耐火レンガ１３は耐火熱遮断構造に成っている。軽量耐火レンガを使用している。カプセル窓ガラス４は厚さ３センチの物を使用している。
【背景技術】
【０００２】今迄、このような避難設備はこれまでの発明に無く、過去色々な地震、津波、火災、及び強盗によつて尊い人命が奪われて来た、これらの悲しい現実から人命を守るために考案した。
【発明の概要】
【発明が解決しようとする課題】
【０００３】緊急時は逃げ場が無く、うろたえて早急に避難すれば助かる命を逃げ場がないために、沢山の命が失われて来たが、カプセル１に避難する事によって、地震、津波、火災、及び強盗から身を守るための避難機具設備のカプセル１である。
【課題を解決するための手段】
【０００４】カプセル１は食料一か月分２１、水タンク貯水一か月分２０、灯油一か月分３１、ガソリン５７等その他の生活必要機具及び物資を備えていて、最低一ヶ月のカプセル１内で生活来る。【０００５】カプセル１は５０トンの重量に耐えられる構造に成っていて、カプセルワイヤ２−直径３センチの３０トンにも耐えられる物を使用する。【０００６】カプセル１は自力脱出出来る機能を備えていて、カプセル１のワイヤー巻取りモータ室５５にワイヤー巻取りモータ５２及びワイヤー巻き取りチエンベルト５３があり、動力燃料はガソリン５７でカプセル１内のモータスイッチ６０を押すと、ワイヤー巻取りモーター５２が回り、ワイヤー巻取りチエンベルト５３が回転して、外部にあるカプセルワイヤー接続固定コンクリート台２８からカプセルワイヤー２を巻き上げて、自力脱出出来る機能も備えている。【０００７】（１）地震、津波、火災、及び強盗の緊急避難用、カプセル１から成っている事を特徴とする、地震、津波、火災及び強盗の緊急避難用カプセル、
（２）図４のカプセル１はワイヤー巻取りモター５２、ワイヤー巻き取りチエンベルト５３、ワイヤー巻取り滑車５４を備えていて、自力脱出出来る機能がある事を特徴とする（１）に記載の、地震、津波、火災及び強盗の緊急避難用カプセル１。
（３）カプセル１には分厚い３センチのカプセル外壁鋼鉄鉄板１０を使用し、外部の５０トンの重量にも耐える事を特徴とする、（１）又わ（２）の何れか一つに記載の地震、津波、火災及び強盗の緊急避難用カプセル１、
（４）カプセル１は牽引の時、抵抗を抑えるために流線型４６の形をしている事を特徴とする、（１）〜（３）のいずれかに記載の地震、津波、火災、及び強盗の緊急避難用カプセル１、
（５）カプセル先端瓦礫除去カツター３に鋼鉄刃金を使用していて、災害現場から脱出の際、外部に連絡して、救助を受けてレッカー重機３８等で牽引してもらう時、瓦礫４５やコンクリート残骸を除いて脱出出来る事を特徴とする、（１）〜（４）のいずれかに記載の地震、津波、火災、及び強盗の緊急避難用カプセル、
（６）カプセル１先端部分にカプセルワイヤー２が接続してあり、カプセルワイヤ接続固定コンクリート台２８のカプセルワイヤーの取り付け箇所２９，３０に接続されていて、カプセルワイヤー２は３０トンでも切れない直径３センチの物を使用する事を特徴とする（１）〜（５）のいずれかに記載の地震、津波、火災、及び強盗の緊急避難用カプセル、
2012223545.tif 000003
入り口ドアー２７にはカプセルドアーゴム内枠１１とカプセルドアー鋼鉄外枠１１が有る事を特徴とする（１）〜（６）のいずれかに記載の地震、津波、火災、及び強盗の緊急避難用カプセル１，
（８）カプセル１の外壁の鋼鉄鉄板の内側にカプセル内壁熱遮断軽量耐火レンガ１３を使用している事を特徴とする、（１）〜（７）のいずれかに記載の地震、津波、火災、及び強盗の緊急避難カプセル１、
（９）カプセル内に一ヶ月滞在用の食料２１、水２０、、ガソリン５７、灯油３１有している事を特徴とする、（１）〜（８）のいずれかに記載の地震、津波、火災、及び強盗の緊急避難用カプセル、
（１０）カプセル内に酸素吸入ボンベ２２を有している事を特徴とする（１）〜（９）いずれかに記載の地震、津波、火災、及び強盗の緊急避難用カプセル１、
（１１）カプセル１内に長寿命バツテリー２２、発電機２２超広角拡声器１５、無線機１４、電話機１６、照明器具２６、ストーブ８、薄型テレビ９、ラジオ３６、懐中電灯２２、乾電池２２、卓上ガスコンロ３７、使い捨てガスボンベ４４、、扇風機４２、時計３５、カレンダー４０、ロウソク２２、簡易トイレ１９、タオル２２、石鹸２２、ハブラシ２２、歯磨き粉２２、下着２２、毛布１０枚２３、手動ポンプ２２、各内外医薬品２２、トイレ用品ペーパ２２他トイレ用カーテン３３、凝固剤２２、消臭剤２２、汚物廃棄用ビニーイル袋２２、有している事を特徴とする（１）〜（１０）のいずれかに記載の地震、津波、火災、及び強盗の緊急避難用カプセル１。
（１２）カプセル１内トイレ排泄時は、プライバシー保護のためトイレ用カーテン３３が使用出来、又汚物は凝固剤２２と消臭剤２２を施してビニール袋に入れて、カプセル１の外に衛生的に廃棄する事を特徴とす（１）〜（１１）のいずれかに記載の地震、津波、火災、及び強盗の緊急避難用カプセル１。
（１３）カプセル１に避難して瓦礫４５の下敷きに成った際、非常事態警報サイレン７を鳴らす事を特徴とする。（１）〜（１２）のいずれかに記載の地震、津波、火災、及び強盗の緊急避難用カプセル１。
（１４）災害後のカプセル室内は、カプセル１の置かれた状態によつて、室内の設備の配置を変える事が出来る事を特徴とする、（１）〜（１３）のいずれかに記載の地震、津波、火災、及び強盗の緊急避難用カプセル１。
（１５）カプセル１に装備されている扇風機４２、薄型テンビ９、照明器具２６、その他の電気器具の動力は装備の発電機３２及び長寿命バツテリー１７を使用する事を特徴とする、（１）〜（１４）のいずれかに記載の地震、津波、火災、及び強盗の緊急避難用プセル１。【０００８】本発明は次の通りである。
（１）カプセル１の大きさは人数によつて決まる。
（２）図１、図２のカプセル１、本体は厚さ３センチのカプセル外壁鋼鉄鉄板１０から成っているので、倒壊の瓦礫４５やコンクリートの残骸等に押しつぶされる事は無い。
（３）図３のカプセル１のカプセルドアー入り口ドアー２７はカプセルドーア防水ゴム内枠１１及びカプセルドアー鋼鉄外枠１１と成っていて、カプセル窓ガラス４はでカプセル窓防水ゴム内枠５は、防水ゴムと成っていて、カプセル窓外鋼鉄枠５と成っている。又カプセル窓ガラス４は厚さ３センチあり、万一津波に襲われても、水が浸入する事は１００％無い。又室内の内壁は厚さ３センチのカプセル内側布シート１２を使用してあるので、外部衝撃から人体を保護出来るうに成っている。
（４）図１、図２のカプセル１のカプセル先端瓦礫除去カッター３に鋼鉄の刃金を使用して、又カプセル１の先端に直径３センチのカプセルワイヤー２が二重に接続されていて、カプセルワイヤー接続コンクリート台２８迄引き出して接続してあるので、遭難時カプセル１に設備している超広角拡声器１５及び電話機１６や無線機１４で、カプセルワイヤー接続固定コンクリート台２８にカプセルワイヤーが接続してある事を、救助隊に連絡して、外部からの救助で、即カプセル１をレッカー重機３８により引き上げてもらう時、瓦礫４５やコンクリートの残骸もカプセル先端瓦礫除去カッター３で取り除き易く、カプセル１も流線型４６に成って居て脱出しやすく成っている。
（５）図１、図２の万一、津波に襲われてカプセル１が水没する事が有った場合は、カプセル１に搭載している酸素吸入ボンベ２２で呼吸し津波が去るまで待って脱出する。
（６）図１、図２のカプセル１には外部連絡用、超広角拡声器１５、無線機１４、電話機１６があり、そのほかに長寿命バツテリー１７、酸素吸入ボンベ２２、ストーブ８、卓上ガスコンロ３７扇風機４２、薄型テレビ９、照明器具２６、懐中電灯２２、ローソク２２、食料一か月分２１，水タンク貯水一か月分２０、毛布１０枚２３、緊急薬品内外薬ドリンク含む２２、灯油手動ポンプ２２、トイレ排泄物凝固剤４３及び脱臭剤４３、納廃棄用ビニール袋４３、トイレペパー４３、ハブラシ歯磨き粉２２、石鹸２２、タオル２２、下着２２他、日用雑貨を搭載している。
（７）図１、図２のカプセル１には簡易トイレ１９も備えていて、トイレ用カーテン３３を引いて使用出来、汚物は使用の度にトイレ排泄物凝固剤４３及び脱臭剤４３、汚物収納廃棄用ビニイール袋４３、トイレットペーパ４３を用いて、汚物収納廃棄用ビニーイル袋４３に入れて外に廃棄出来、カプセル１内は衛生的に出来る。
（８）図１、図２の水タンク貯蓄一か月分２０のタンクから出水蛇口１８を回すと給水が出来る。
（９）図５のカプセル１は室内５０、又わベランダ５１に設置してあり、すぐ乗り込める事を特徴とする。
（１０）図１、図２のカプセル１はどのような位置に成っるても、その時の状態で、各機具をその室内の状態に応じて配置出来る。
（１１）図１，図２のカプセル１内の搭載器材は地震による振動で、カプセル１内の人員が負傷しないようにカプセル１の底の機具収納庫４７、に集荷して有り、災害が治まった時点で機具収納庫４７の機具収納庫取り出し口取って４８を持ち上げて機具を取り出し配置して、救助を待つ間に使用する。
（１２）図１、図２のカプセル１のワイヤー巻取りモーター室５５には、自力脱出出来る、カプセルワイヤー巻取り装置を備えている。
（１３）カプセル１は強盗等に襲われた時も、カプセル１に避難することにより安全が守れる。【０００９】図６のように直径３センチの二重に成ったカプセルワイヤー２がカプセル１い接続してあり、外部直径１メートル四角に高さ１メートルのカプセルワイヤー接続コンクリート台の接続固定コンクリート台２８に固定して有り、又その下に直径２メートル深さ２メートルのコンクリート台のワイヤー接続地下固定台５９に連ながっていて、その地下と地上を結ぶ固定台の中にはカプセルワイヤー取り付け箇所２９、３０を補強するための、補強鉄棒５８につながっている。又屋根は厚さ３センチのカプセルワイヤー取り付け台カバーで覆われていて瓦礫等を防いでいる。
【発明の効果】
【００１０】特徴利点  １  カプセル１の中で生活出来るように成っていて、食料一か月分２０が有り、水タンク貯水一か月分２０は出水蛇口１８を回せば給水出来る。
２  津波が来てもカプセル１カプセル窓ガラス４が、カプセル窓防水ゴム内枠５、カプセル窓こう鉄外枠５に成っていて、又カプセル入り口ドアー２７カプセルドアー防水内枠１１とカプセルドア鋼鉄外枠１１と成っていて外からの水の流入を防いでいる。
カプセル１も、カプセルワイヤー接続固定コンクリート台２８と接続されてるので、カプセル１が津波に押し流される事は無い。又酸素吸入ボンベ２２を搭載しているので万一、津波で一時的にれ水没しても、瞬間なので、酸素吸入ボンベ２２により呼吸出来、津波が去るのを待つことが出来て安全である。
３  カプセル先端瓦礫除去カッター３が鋼鉄刃金と成っていて、カプセルワイヤー接続固定コンクリート台２８とカプセルワイヤー２で接続されているので、外部と超広角拡声器１５や電話機１６及び無線機１４で外部と連絡を取って、カプセルワイヤー取り付け箇所２９、３０を伝えて、カプセルワイヤー２をレッカー重機３８で救助隊に牽引してもう際に、瓦礫４５やコンクリートの残骸を除いて脱出出来る。
４  カプセル１は災害によってどのような位置に成っても、位置に応じて、室内の機具を配置し治してて生活出来る。
５  カプセル１は万一のために自力脱出のワイヤー巻き取りモーター５２等の装置がある。
【図面の簡単な説明】
【００１１】
【図１】カプセル縦使用内部図
【図２】カプセル横使用内部図
【図３】カプセル外観図
【図４】カプセルモータ室のカプセルワイヤー引き上げモーター、滑車、チエンベルト図
【図５】カプセルの部屋及びベランダ設置外観図
【図６】カプセルの部屋、ベランダ設置図及びカプセル接続ワイヤーを外部ワイヤー取り付け台接続図
【図７】カプセル自力脱出図
【図８】救助隊によるレッカー重機でカプセル引き上げ図
【図９】カプセル収納庫配置図
【発明を実施するための形態】
【００１２】図３のカプセル窓ガラス４及びカプセル入り口ドアー２７には津波等でカプセル１が水没してもカプセル窓防水ゴム内枠５及びカプセル窓鋼鉄外枠５と成っていてカプセルドアー防水ゴム内枠１１にゴム枠及カプセルドアー鋼鉄外枠１１を使用して水がカプセル１内に浸入し無いよう成っている。
【００１３】図１、図２、のカプセル１の内壁は災害時に火災が起こっても、カプセル内壁耐火熱遮断軽量耐火レンガ１３を使用して火災からも身を守るように出来ている。
【００１４】図１、図２のカプセル１はどのような位置に成っても、室内の機具を移動して、カプセル１位置に合った空間を作って生活出来る。
【００１５】図１、図２のカプセル１の外壁、カプセル外壁鋼鉄鉄板１０は厚さ３センチ１０の物を使用し又内壁カプセル内壁熱遮断軽量耐火レンガ１３を使用し又厚さ３センチのカプセル内側布シート１２を使用している。
【００１６】図１、図２のカプセル１先端ｔカプセル先端瓦礫除去カッター３は鋼鉄の刃金に成っていて、外部からレッカー重機３８で牽引しもらう時に、瓦礫４５やコンリート残骸を除去出来る構造に成っている。カプセル１の先端鋼鉄刃金部分には、直径３センチのカプセルワイヤー２が二重に接続されていて、そのカプセルワイヤー２は図７のカプセルワイヤー接続固定コンクリート台２８に接続されており、又ワイヤ接続地下固定台５９にも補強鉄棒でつながつて固定されていて、津波や地震でもカプセルワイヤー２が外れ無いように成っている。
【００１７】図７の自力脱出する場合はカプセル１に搭載のカプセルワイヤー巻き取りモータ５２で外部のカプセルワイヤー取り付け箇所２９，３０に接続されているカプセルワイヤー２をカプセル１のワイヤー巻取りモータ室５５にあるワイヤー巻取り滑車５４やワイヤー巻取りチエンベルト５２で牽引する事により自力脱出を図る。
【００１８】万一非常事態が起こった時は図１、図２のカプセル１内に搭載している、無線機１４、電話機１６、超広角拡声器１５、で外部と連絡取れる装置を備えている。
【００１９】図１、図２のカプセル１内には一ヶ月の食料と飲用水他通信機器、１その他の機具及び日用品等生活必需品を備えていて、外部と連絡取れる迄、生活出来るように成っている。
【００２０】図４はカプセルが自力で脱出出来るように、ガソリン５７を燃料としたワイヤー巻取りモータ５２によりカプセルワイヤー２をワイヤー巻取り滑車５４０をカプセル１室内に有るモータスイッチ６０を入れて、ワイヤー巻取りかチエンベルト５３を回してカプセルワイヤー２引き上るワイヤー巻取りモータ室５５の内部図。燃料のガソリン５７は燃料パイプ６１を通じて自動的に補給される。
【００２１】図５は何時でも即カプセル１避難出来るように室内５０又はベランダ５１にカプセル１を設置した図である。
図６はカプセルワイヤー２のカプセルワイヤー接続固定コンクリート台２８は厚さ２センチのカプセルワイヤー取り付け固定台鋼鉄厚板カバー４１で保護されていて、図６、図１のように屋根が有り地震による瓦礫で埋もれないように成っている。
図６のようにカプセル１が室内５０及びわベランダ５１からカプセルワイヤー２がカプセルワイヤー接続固定コンクリート台２８に接続されている図である。
【００２２】図７はカプセル１に搭載して居るをワイヤー巻取りモータ５２で、外部のカプセルワイヤー接続固定コンクリート台２８に接続されている、カプセルと接続しているカプセルワイヤー２を引っ張って自力脱出する時の図。
【００２３】図８はカプセル１は外部と連絡を取って救助隊にレッカー重機３８で牽引してもらう時の図である。
【００２４】図９はカプセル１内の搭載機具及び食料、、水、燃料、日用品の収納庫の図である。
【００２５】図４ワイヤー巻取りモータ室５５の図で、ワイヤー巻き取りモーター５２及びワイヤー巻き取り滑車５４ワイヤー巻き取りチエンベルト５３を備えていて自力脱出出来る。
【００２６】カプセル１内のカーテンは、トイレ使用じにプライバシイー保護のために使用出来る。
【符号の説名】
【００２７】  １  カプセル
２  カプセルワイヤー
３  カプセル先端瓦礫除去カッター
４  カプセル窓ガラス
５  カプセル窓防水ゴム内枠、カプセル窓鋼鉄外枠、
６  ワイヤー接続穴
７  非常事態警報サイレン
８  ストーブ
９  薄型テレビ
１０  カプセル外壁鋼鉄鉄板
１１  カプセルドアー防水ゴム枠、カプセルドアー鋼鉄外枠
１２  カプセル内側布シート
１３  カフセル内壁熱遮断軽量耐火レンガ
１４  無線機
１５  超広角拡声器
１６  電話機
１７  長寿命バッテリー
１８  出水蛇口
１９  簡易トイレ
２０  水タンク貯水一か月分
２１  食料一か月分
２２  酸素吸入ボンベ、懐中電灯、乾電池、ロウソク、灯油手動ポンプ、ロールペーパ、緊急薬品内外薬栄養ドリンク含む、タオル、石鹸  ハブラシ歯磨き粉、下着、その他日用品
２３  毛布１０枚
２４  食料収納庫取り出し口取っ手
２５  酸素吸入ボンベ他、資材収納庫取り出し口取っ手
２６  照明器具
２７  カプセル入り口ドアー
２８  カプセルワイヤー接続固定コンクリート台
２９  一階カプセルワイヤー取り付け箇所
３０  二階カプセルワイヤー取り付け箇所
３１  灯油一か月分
３２  発電機
３３  トイレ用カーテン
３４  水受け皿
３５  時計
３６  ラジオ
３７  卓上ガスコンロ
３８  レッカー重機
３９  カプセルドアー取っ手
４０  カレンダー
４１  カプセルワイヤー取り付け固定台鋼鉄鉄板カバー
４２  扇風機
４３  トイレ排泄物凝固剤及び脱臭剤、汚物収納廃棄用ビニール袋、トイレペーパ
４４  卓上式ガスコンロ用使い捨てガスボンベ
４５  瓦礫
４６  流線型
４７  機具収納庫
４８  機具収納庫取り出し口取って
４９  予備保水
５０  室内
５１  ベランンダ
５２  ワイヤー巻取りモーター
５３  ワイヤー巻取りチエンベルト
５４  ワイヤー巻取り滑車
５５  ワイヤー巻取りモーター室
５６  ワイヤー巻取り滑車からのワイヤーとコンクリー固定台接続ワイヤー回転フックリング
５７  ガソリン
５８  補強鉄棒
５９  ワイヤー接続地下固定台
６０  モータスイッチ
６１  燃料パイプ
【図１】
2012223545.tif 000004
【図２】
2012223545.tif 000005
【図３】
2012223545.tif 000006
【図４】
2012223545.tif 000007
【図５】
2012223545.tif 000008
【図６】
2012223545.tif 000009
【図７】
2012223545.tif 000010
【図８】
2012223545.tif 000011
【図９】
2012223545.tif 000012
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
地震、津波、火災、強盗の避難用として開発したカプセルであって、前記カプセルは万一の時は自力脱出出来るように、カプセルワイヤー（２）、ワイヤー巻取りモーター（５２）及びワイヤー巻き取りチエンベルト（５３）、ワイヤー巻取り滑車（５４）を備え脱出時瓦礫を掘削して脱出できるようにカプセルの先端がカプセル先端瓦礫除去カッター（３）に成っていて、カプセルも瓦礫の抵抗を抑えるために流線型（４６）に成っており、さらにカプセルはカプセルワイヤー（２）によりワイヤ接続地下固定台（５９）と接続されているので津波に押し流されることも無く、救助要請の時も捜索する事無く即救助出来、前記カプセルワイヤー（２）はカプセルワイヤー接続固定コンクリート台（２８）に接続されており２本のワイヤが回転するように成っていて、２本のワイヤーが離れないように、ワイヤー巻き取り滑車（５４）からのワイヤーとコンクリート固定代接続回転フックリング（５６）で止められていて、カプセルワイヤー取り付け箇所（２９）（３０）の上にはカプセルワイヤー取り付け固定台鋼鉄鉄板カバー（４１）がある事を特徴とする、地震、津波、火災及び強盗の緊急避難用カプセル。